(57)【要約】      （修正有）【課題】遊技機の入れ替え作業、特にパチンコ遊技機と回胴式遊技機の入れ替え作業に関り、設置される遊技機の種別に応じて、遊技機の設置高さを容易に変更できる遊技機設置島台を提供する。【解決手段】パチスロ機を島台に設置する場合には、上ユニット３０及び下ユニット６０の上係止ピン７２ａ、ｂ及び下係止ピン８２ａ、ｂを、支柱３ａの係止溝９０ａ、ｃ及び係止溝９１ｃ、ｄに係止し、島台にてパチスロ機をパチンコ機に入れ替える場合には、上係止ピン７２ａ、ｂ及び下係止ピン８２ａ、ｂを、係止溝９０ａ、ｃ及び係止溝９１ｃ、ｄから一旦離脱してから係止溝９０ｂ、ｄ及び係止溝９１ａ、ｂに係止することで、島台において上ユニット３０、下ユニット６０の高さを、パチスロ機からパチンコ機に合った高さに変更する。【選択図】図１４
2014004093.tif 000002
【特許請求の範囲】
【請求項１】
パチンコ遊技機または回胴式遊技機が設置される遊技機設置島台であって、
前記遊技機設置島台の上部側に設けられ、前記パチンコ遊技機または前記回胴式遊技機の上端を支持する上ユニットと、
前記遊技機設置島台の下部側に設けられ、前記パチンコ遊技機または前記回胴式遊技機の下端を支持する下ユニットと、
前記遊技機設置島台に対して前記上ユニット及び前記下ユニットを上下に移動して固定可能な位置調整固定手段と、
を備え、
前記位置調整固定手段は、前記遊技機設置島台に形成した係止溝と、前記上ユニットに形成した上係止部材と、前記下ユニットに形成した下係止部材とを備え、前記係止溝は、予め前記パチンコ遊技機に対応する高さに形成される第１係止溝と、予め前記回胴式遊技機に対応する高さに形成される第２係止溝とが設けられ、
前記遊技機設置島台に前記パチンコ遊技機が設置される場合には、前記位置調整固定手段により、前記上係止部材及び前記下係止部材を前記第１係止溝に係止し、
前記遊技機設置島台に前記回胴式遊技機が設置される場合には、前記位置調整固定手段により、前記上係止部材及び前記下係止部材を前記第２係止溝に係止することを特徴とする遊技機設置島台。
【請求項２】
前記位置調整固定手段は、前記上係止部材及び前記下係止部材を、前記第１係止溝または前記第２係止溝に該第１係止溝または該第２係止溝の形状に沿って移動可能に係止し、
前記上ユニット及び前記下ユニットは、前記上係止部材及び前記下係止部材を、前記第１係止溝または前記第２係止溝の形状に沿って移動することで前記遊技機設置島台に対して離脱可能に設けられ、
前記上係止部材及び前記下係止部材を、前記第１係止溝から前記第２係止溝または前記第２係止溝から前記第１係止溝に係止する場合には、前記上ユニット及び前記下ユニットを前記遊技機設置島台から一旦離脱して行うことを特徴とする請求項１に記載の遊技機設置島台。
【請求項３】
前記係止溝は、前記第１係止溝と前記第２係止溝とを連結する連結溝が設けられ、
前記位置調整固定手段は、前記上係止部材及び前記下係止部材を、前記連結溝の形状に沿って移動可能に、且つ、前記第１係止溝または前記第２係止溝に該第１係止溝または該第２係止溝の形状に沿って移動可能に係止し、
前記上係止部材及び前記下係止部材を、前記第１係止溝から前記第２係止溝または前記第２係止溝から前記第１係止溝に係止する場合には、前記上係止部材及び前記下係止部材を、前記第１係止溝から前記連結溝を介して前記第２係止溝または前記第２係止溝から前記連結溝を介して前記第１係止溝に移動することにより、前記上ユニット及び前記下ユニットを前記遊技機設置島台から離脱することなく行うことを特徴とする請求項１に記載の遊技機設置島台。
【請求項４】
前記上ユニットは、一対の側板を有し、前記上係止部材は、該側板から左右外側に突出する一対の上係止ピンとし、
前記下ユニットは、一対の側板を有し、前記下係止部材は、該側板から左右外側に突出する一対の下係止ピンとし、
前記遊技機設置島台は、一対の支柱を有し、前記係止溝は、該支柱にそれぞれ切り欠いて形成され、前記第１係止溝と前記第２係止溝は、水平状の水平切欠部と、該水平切欠部から下方に延びる垂直状の垂直切欠部とで、略Ｌ字状にそれぞれ形成され、
前記上係止ピン及び前記下係止ピンを前記第１係止溝または前記第２係止溝に係止した状態では、該上係止ピン及び該下係止ピンは前記垂直切欠部の底部に係止されることを特徴とする請求項１乃至請求項３の何れか１項に記載の遊技機設置島台。
【請求項５】
前記回胴式遊技機の上端を支持する前記上ユニットの下側には、遊技者が獲得した遊技媒体を収容する玉箱を載置するための玉箱ボックスが着脱自在に取り付けられ、
前記第２係止溝は、予め前記回胴式遊技機及び前記玉箱ボックスに対応する高さに形成されることを特徴とする請求項１乃至請求項４の何れか１項に記載の遊技機設置島台。
【発明の詳細な説明】
【技術分野】
【０００１】
本発明は、パチンコ遊技機または回胴式遊技機が設置される遊技機設置島台に関り、さらに詳しくは、これらの遊技機の設置高さを容易に変更できる遊技機設置島台に関する。
【背景技術】
【０００２】
従来よりパチンコ遊技機や回胴式遊技機は、遊技機設置島台（以下、単に「島台」ともいう）と呼ばれる木材やスチール等の骨組みからなる構造物に固定して使用されている。島台は、一般的に、複数のパチンコ遊技機または回胴式遊技機の何れかを横並び状に背向列設し、これら列設した遊技機に対して、遊技媒体となるパチンコ玉やメダル等を補給したり回収したりする機能を有している。しかして、島台において遊技機を固定するには、島台が備える上支持材及び下支持材により、遊技機の上端と下端を挟み込むように支持することで行っている。
【０００３】
ところで、多数のパチンコ遊技機や回胴式遊技機が設置される遊技場においては、遊技者の興味を持続させるべく、遊技機の入れ替えが頻繁に行われる。通常、遊技機の入れ替えは、同じ機種同士で行われるが、その時の遊技機の人気、不人気等により、パチンコ遊技機から回胴式遊技機へ、あるいは、回胴式遊技機からパチンコ遊技機へ変更したりする場合もある。
【０００４】
しかしながら、島台におけるパチンコ遊技機と回胴式遊技機の設置高さは、遊技者が操作し易いように、それぞれ異なっており、パチンコ遊技機の方が回胴式遊技機よりも高く設置されるようになっている。そのため、パチンコ遊技機と回胴式遊技機を入れ替える場合には、上記した島台の上支持材及び下支持材の高さ位置を変更する必要性が生じる。回胴式遊技機の中にはパチスロと呼ばれるパチンコ遊技機と同じ高さに設計された機種もあるが、このパチスロにおいても、遊技者の操作性（リール停止ボタンの位置等）を考慮し、他の機種と同様にパチンコ遊技機よりも低く島台に設置されるようになっている。
【０００５】
パチンコ遊技機と回胴式遊技機を入れ替える場合、従来の島台では、骨組を形成する木材やスチールの再利用が構造上難しく、結局、一旦、既存の島台を取り壊し、新たに入れ替える遊技機の設置高さに合った新しい島台を構築している。このような作業は、大変、手間のかかる作業であり、しかも今まで使用していた古い材料は廃棄される場合がほとんどである。即ち、従来の島台では、このパチンコ遊技機と回胴式遊技機の入れ替え作業は、困難を極め、経済性や環境性においても無駄の多いものとなっていた。
【０００６】
そこで、このような事態を解消するため、特許文献１には、下支持材を島台の支柱に対して上下に移動可能な位置調整手段を備えた技術が開示され、また、特許文献２には、遊技機を保持する上支持材及び下支持材を備えた取り付け枠を、骨組み本体枠とは別体で設け、本体枠に対して取り付け枠を上下に移動可能な位置調整手段を備えた技術が開示されている。これらの開示技術によれば、既存の島台をそのまま利用して、パチンコ遊技機と回胴式遊技機を入れ替えること、つまり遊技機の設置高さを変更することが可能になる。
【先行技術文献】
【特許文献】
【０００７】
【特許文献１】特開２００２−２１０１９７号公報
【特許文献２】特開２０００−３７５３６号公報
【発明の概要】
【発明が解決しようとする課題】
【０００８】
しかしながら、特許文献１に開示されている技術では、位置調整手段は、ボルトとナットで構成されており、下支持材の高さを変更するには、一旦、ボルトを緩めて下支持材を支柱から取り外し、その後、下支持材を所定の高さ位置に手などで支柱に宛がいながらボルトで螺着することにより行っている。斯かる構成では、遊技機の高さ位置を調整する作業が煩雑となり、ボルトやナットを紛失してしまうおそれもある。しかも、上支持材は固定され、下支持材のみしか移動できないので、遊技機の高さ位置を調整するには、使い勝手が悪く、不十分である。
【０００９】
また、特許文献２に開示されている技術では、確かに上支持材及び下支持材の両者は移動可能になっているが、上支持材と下支持材は、取り付け枠に一体に形成されているので個別に移動することができない。即ち、上支持材と下支持材の高さ方向の間隔は常に一定となっており、斯かる構成では、高さの異なる遊技機を入れ替えたり、付属の備品等を取り付けることができないという問題点がある。しかも、特許文献２では、位置調整手段は、ボルトとナットで構成されているので、特許文献１と同様な課題を包含し、さらに、躯体の大きい取り付け枠をボルトとナットで取り付ける作業は極めて困難である。
【００１０】
本発明は、上記した課題を解決するためになされたもので、その目的とするところは、遊技機の入れ替え作業、特にパチンコ遊技機と回胴式遊技機の入れ替え作業に関り、設置される遊技機の種別に応じて、遊技機の設置高さを容易に変更できる遊技機設置島台を提供することにある。
【課題を解決するための手段】
【００１１】
この様な問題を解決するために、本発明の遊技機設置島台は、請求項１に記載したように、パチンコ遊技機または回胴式遊技機が設置される遊技機設置島台であって、前記遊技機設置島台の上部側に設けられ、前記パチンコ遊技機または前記回胴式遊技機の上端を支持する上ユニットと、前記遊技機設置島台の下部側に設けられ、前記パチンコ遊技機または前記回胴式遊技機の下端を支持する下ユニットと、前記遊技機設置島台に対して前記上ユニット及び前記下ユニットを上下に移動して固定可能な位置調整固定手段と、を備え、前記位置調整固定手段は、前記遊技機設置島台に形成した係止溝と、前記上ユニットに形成した上係止部材と、前記下ユニットに形成した下係止部材とを備え、前記係止溝は、予め前記パチンコ遊技機に対応する高さに形成される第１係止溝と、予め前記回胴式遊技機に対応する高さに形成される第２係止溝とが設けられ、前記遊技機設置島台に前記パチンコ遊技機が設置される場合には、前記位置調整固定手段により、前記上係止部材及び前記下係止部材を前記第１係止溝に係止し、前記遊技機設置島台に前記回胴式遊技機が設置される場合には、前記位置調整固定手段により、前記上係止部材及び前記下係止部材を前記第２係止溝に係止することを要旨とする。
【００１２】
このように、本発明の遊技機設置島台は、設置する遊技機の種別に応じて、予め遊技機設置島台に第１係止溝、第２係止溝を遊技機に対応する高さに形成しておき、これらの第１係止溝、第２係止溝に係止する上係止部材、下係止部材を上ユニット、下ユニットに設けることで、遊技機設置島台に設置される遊技機の種別、即ちパチンコ遊技機または回胴式遊技機に応じて、遊技機設置島台に対して容易に上ユニット、下ユニットの高さを変更することができる。
【００１３】
つまり、本発明の遊技機設置島台は、位置調整固定手段により、第１係止溝に上係止部材及び下係止部材を係止するだけで、上ユニットと下ユニットは、遊技機設置島台においてパチンコ遊技機の上端及び下端を支持する位置に固定することができ、また、第２係止溝に上係止部材及び下係止部材を係止するだけで、上ユニットと下ユニットは、遊技機設置島台において回胴式遊技機の上端及び下端を支持する位置に固定することができる。
【００１４】
従ってこのように構成される本発明の遊技機設置島台においては、遊技機設置島台が備える位置調整固定手段で、ボルトやナット等の部品を使用することなく、上ユニット及び下ユニットを極めて容易に上下に移動可能に固定することで、遊技機の入れ替え等で遊技機設置島台に設置される遊技機の種別に応じて、該遊技機の設置高さを容易に変更することができる。
【００１５】
また、上ユニットと下ユニットは、個別に上下に移動させることができるので取り扱い易く、さらに、たとえ異なる高さの遊技機の入れ替えであっても、上ユニットと下ユニットの高さ方向の間隔、即ち遊技機設置島台における遊技機設置空間の高さを所望の長さに設定して容易に対応することができ、極めて使い勝手がよい。
【００１６】
また、請求項２に記載の遊技機設置島台は、請求項１に記載の遊技機設置島台において、前記位置調整固定手段は、前記上係止部材及び前記下係止部材を、前記第１係止溝または前記第２係止溝に該第１係止溝または該第２係止溝の形状に沿って移動可能に係止し、前記上ユニット及び前記下ユニットは、前記上係止部材及び前記下係止部材を、前記第１係止溝または前記第２係止溝の形状に沿って移動することで前記遊技機設置島台に対して離脱可能に設けられ、前記上係止部材及び前記下係止部材を、前記第１係止溝から前記第２係止溝または前記第２係止溝から前記第１係止溝に係止する場合には、前記上ユニット及び前記下ユニットを前記遊技機設置島台から一旦離脱して行うことを要旨とする。
【００１７】
つまり、本発明の遊技機設置島台は、位置調整固定手段により、上係止部材及び下係止部材が、第１係止溝または第２係止溝の形状に沿って移動可能に該第１係止溝または第２係止溝に係止されており、上ユニット及び下ユニットを遊技機設置島台から離脱するには、第１係止溝または第２係止溝の形状に沿って上係止部材及び下係止部材を移動させるだけで行うことができる。
【００１８】
そして、上係止部材及び下係止部材を、第１係止溝から第２係止溝または第２係止溝から第１係止溝に係止する場合には、換言すれば、上ユニット及び下ユニットを、パチンコ遊技機から回胴式遊技機または回胴式遊技機からパチンコ遊技機に対応する高さに移動する場合には、第１係止溝または第２係止溝の形状に沿って上係止部材及び下係止部材を移動することにより、上ユニット及び下ユニットを遊技機設置島台から一旦離脱して行う。
【００１９】
従ってこのように構成される本発明の遊技機設置島台においては、第１係止溝または第２係止溝の形状に沿って上係止部材及び下係止部材を移動するだけで、遊技機設置島台に設置される遊技機の種別に応じて、遊技機設置島台に対して容易に上ユニット及び下ユニットの高さを変更することができ、遊技機の入れ替え作業が容易となる。また、遊技機を入れ替えるには、上ユニット及び下ユニットを遊技機設置島台から一旦離脱して行うので、これにより、遊技機の入れ替え等の際、遊技機設置島台内の保守、点検等を併せて行うこともできる。
【００２０】
あるいは、上ユニット及び下ユニットを、パチンコ遊技機から回胴式遊技機または回胴式遊技機からパチンコ遊技機に対応する高さに移動する場合には、次のようにしてもよい。即ち、請求項３に記載の遊技機設置島台は、請求項１に記載の遊技機設置島台において、前記係止溝は、前記第１係止溝と前記第２係止溝とを連結する連結溝が設けられ、前記位置調整固定手段は、前記上係止部材及び前記下係止部材を、前記連結溝の形状に沿って移動可能に、且つ、前記第１係止溝または前記第２係止溝に該第１係止溝または該第２係止溝の形状に沿って移動可能に係止し、前記上係止部材及び前記下係止部材を、前記第１係止溝から前記第２係止溝または前記第２係止溝から前記第１係止溝に係止する場合には、前記上係止部材及び前記下係止部材を、前記第１係止溝から前記連結溝を介して前記第２係止溝または前記第２係止溝から前記連結溝を介して前記第１係止溝に移動することにより、前記上ユニット及び前記下ユニットを前記遊技機設置島台から離脱することなく行うことを要旨とする。
【００２１】
つまり、本発明の遊技機設置島台は、位置調整固定手段により、上係止部材及び下係止部材が、第１係止溝または第２係止溝の形状に沿って移動可能に該第１係止溝または第２係止溝に係止されるのに加え、第１係止溝と第２係止溝とを連結する連結溝にも、その形状に沿って移動可能に構成されている。そして、上ユニット及び下ユニットを、パチンコ遊技機から回胴式遊技機または回胴式遊技機からパチンコ遊技機に対応する高さに移動する場合には、第１係止溝から連結溝を介して第２係止溝または第２係止溝から連結溝を介して第１係止溝に移動することにより、上ユニット及び下ユニットを遊技機設置島台から離脱することなく行う。
【００２２】
従ってこのように構成される本発明の遊技機設置島台においては、上ユニット及び下ユニットが遊技機設置島台から離脱することがないので、上係止部材及び下係止部材を、第１係止溝または第２係止溝及び連結溝の形状に沿って安心して移動することができる。その結果、遊技機設置島台に設置される遊技機の種別に応じて、遊技機設置島台に対して極めて容易に上ユニット及び下ユニットの高さを変更することができ、遊技機の入れ替え作業が極めて容易となる。
【００２３】
ここで、位置調整固定手段の具体的な構成は種々考えられるが、例えば次のようにするとよい。即ち、請求項４に記載の遊技機設置島台は、請求項１乃至請求項３の何れか１項に記載の遊技機設置島台において、前記上ユニットは、一対の側板を有し、前記上係止部材は、該側板から左右外側に突出する一対の上係止ピンとし、前記下ユニットは、一対の側板を有し、前記下係止部材は、該側板から左右外側に突出する一対の下係止ピンとし、前記遊技機設置島台は、一対の支柱を有し、前記係止溝は、該支柱にそれぞれ切り欠いて形成され、前記第１係止溝と前記第２係止溝は、水平状の水平切欠部と、該水平切欠部から下方に延びる垂直状の垂直切欠部とで、略Ｌ字状にそれぞれ形成され、前記上係止ピン及び前記下係止ピンを前記第１係止溝または前記第２係止溝に係止した状態では、該上係止ピン及び該下係止ピンは前記垂直切欠部の底部に係止されることを要旨とする。
【００２４】
従ってこのように構成される本発明の遊技機設置島台においては、遊技機設置島台の一対の支柱に形成した第１係止溝または第２係止溝に、上ユニット及び下ユニットの一対の側板から左右外側に突出する一対の上係止ピン及び下係止ピンを係止するだけで、極めて容易に上ユニット及び下ユニットを遊技機設置島台に固定できる。しかも、第１係止溝または第２係止溝は、水平状の水平切欠部と垂直状の垂直切欠部とで略Ｌ字状に形成され、上係止ピン及び下係止ピンを、第１係止溝または第２係止溝に係止した状態では、上係止ピン及び下係止ピンは垂直切欠部の底部に係止されるので、その結果、上ユニット及び下ユニットは、極めて安定且つ強固に遊技機設置島台に固定することが可能となる。
【００２５】
ところで、一般的に、回胴式遊技機の上方には、遊技者が獲得した遊技媒体（メダル）を収容する玉箱を載置するための玉箱ボックスが設けられる。この理由は、回胴式遊技機を遊技機設置島台に設置すると、遊技機設置島台の前方側に突出する天板が回胴式遊技機の下端で覆われ、天板と回胴式遊技機との隙間が無くなってしまい、天板上に玉箱が載置できないからである。
【００２６】
そこで、このような場合には、次のようにするとよい。即ち、請求項５に記載の遊技機設置島台は、請求項１乃至請求項４の何れか１項に記載の遊技機設置島台において、前記回胴式遊技機の上端を支持する前記上ユニットの下側には、遊技者が獲得した遊技媒体を収容する玉箱を載置するための玉箱ボックスが着脱自在に取り付けられ、前記第２係止溝は、予め前記回胴式遊技機及び前記玉箱ボックスに対応する高さに形成されることを要旨とする。
【００２７】
従ってこのように構成される本発明の遊技機設置島台においては、第２係止溝は、予め回胴式遊技機及び玉箱ボックスに対応する高さに形成されているので、上ユニットの下側に玉箱ボックスを着脱自在に取り付けることが可能になる。その結果、上ユニットは、パチンコ遊技機と回胴式遊技機両者に共通して使用することができ、わざわざパチンコ遊技機用と回胴式遊技機用の構成の異なる上ユニットを予め用意する必要がなく、極めて使い勝手がよい。
【図面の簡単な説明】
【００２８】
【図１】本発明の概要を説明するための本実施形態に係る島台１を正面から見た模式図である。
【図２】本実施形態に係わるパチンコ遊技機１０を設置するときの島台１の正面図、右側面図、平面図、Ａ−Ａ断面図である。
【図３】本実施形態に係わる回胴式遊技機２０を設置するときの島台１の正面図、右側面図、平面図、Ｂ−Ｂ断面図である。
【図４】本実施形態に係わる上ユニット３０の正面図、Ｃ−Ｃ断面図、Ｄ−Ｄ断面図である。
【図５】本実施形態に係わる上ユニット３０の左側の部分分解斜視図である。
【図６】本実施形態に係わる下ユニット６０の正面図、右側面図である。
【図７】本実施形態に係わる下ユニット６０の左側の部分分解斜視図である。
【図８】本実施形態に係わる玉箱ボックス３５の正面図、Ｅ−Ｅ断面図である。
【図９】本実施形態に係わる玉箱ボックス３５が取り付けられたときの上ユニット３０の正面図である。
【図１０】本実施形態に係わる支柱３ａの構成を説明する説明図である。
【図１１】本実施形態に係わる補強金具１２の構成を示す正面図である。
【図１２】本実施形態に係わる化粧板８の構成を示す斜視図である。
【図１３】本実施形態に係わる島台１にパチンコ遊技機１０が設置されたときに、島台１に内蔵される補給回収機構を説明するための模式図である。
【図１４】本実施形態に係わるパチンコ遊技機１０とパチスロ遊技機２０を入れ替える場合の説明図である。
【図１５】他の実施形態に係わる上係止溝１００、下係止溝１０１の構成を説明する説明図である。
【図１６】他の実施形態に係わる上係止溝１００、下係止溝１０１の変形例の構成を説明する説明である。
【図１７】他の実施形態に係る両面にパチンコ遊技機１０とパチスロ遊技機２０を設置するときの島台１の右側面図である。
【発明を実施するための形態】
【００２９】
＜１．本発明の概要＞
以下に、本発明を実施するための形態を図を用いて説明する。まず、図１を参照しながら、本発明の概要について説明する。図１は、本実施形態に係る島台１を正面から見た模式図であり、（Ａ）はパチンコ遊技機１０を設置する場合を示し、（Ｂ）は回胴式遊技機２０を設置する場合を示している。なお、図中、Ｐはパチンコ遊技機１０を意味し、Ｓは回胴式遊技機２０を意味している。
【００３０】
島台１は、支柱３に対して上下に移動可能な上ユニット３０と下ユニット６０を備えており、上ユニット３０は、島台１の上部側に設けられ、パチンコ遊技機１０または回胴式遊技機２０の上端を支持し、下ユニット６０は、島台１の下部側に設けられ、パチンコ遊技機１０または回胴式遊技機２０の下端を支持し、両者でパチンコ遊技機１０または回胴式遊技機２０を挟み込むようにして島台１に固定する機能を有している。
【００３１】
上ユニット３０は、その上部に、島台１に対して開閉自在に設けられ、島台１内部のパチンコ玉やメダル等の遊技媒体が玉詰まりを起こしたとき等に、店員が対処できるようにするための幕板が取り付けられる幕板部３１と、該幕板部３１の下方に設けられ、店員を呼び出したり、遊技機が特賞状態（例えば大当り状態）等になったときに点等／点滅する呼出ランプが取り付けられる押釦部３３とから成っている。
【００３２】
なお、島台１に回胴式遊技機２０を設置する場合には、上ユニット３０には、図１（Ｂ）に示すように、押釦部３３の下方に遊技者が獲得したメダルを収容する玉箱を載置するための玉箱ボックス３５が取り付けられている。これは、回胴式遊技機２０を島台１に設置すると、後述の下ユニット６０の天板６１が回胴式遊技機２０下端で覆われ、天板６１と回胴式遊技機２０との隙間が無くなってしまい、天板６１上に玉箱が載置できないからである（後述の図３参照）。
【００３３】
下ユニット６０は、その上部に、島台１に対して前方側に突出する略矩形板状の天板６１と、該天板６１の下方に設けられ、島台１の下部を化粧する薄肉平板状の腰板が立設して取り付けられる腰板部６３とから成っている。なお、島台１にパチンコ遊技機１０を設置する場合には、天板６１上には遊技者が獲得したパチンコ玉を収容する玉箱が載置されるスペースが確保されている（後述の図２参照）。従って、島台１にパチンコ遊技機１０を設置する場合には、上記の玉箱ボックス３５は必要ない。
【００３４】
そして、本発明では、上記のように構成される上ユニット３０及び下ユニット６０は、島台１に設置される遊技機が、パチンコ遊技機１０から回胴式遊技機２０へ、あるいは、回胴式遊技機２０からパチンコ遊技機１０へ入れ替えられる場合、島台１が備える後述の位置調整固定手段で、上ユニット３０及び下ユニット６０を極めて容易に上下に移動固定することで、島台１に設置される遊技機の種別に応じて、遊技機の設置高さを容易に変更できるようになっている。
【００３５】
即ち、遊技機が、パチンコ遊技機１０から回胴式遊技機２０に入れ替えられる場合には、図１（Ｂ）に示すように、上ユニット３０を上方に移動し、上ユニット３０の下方に玉箱ボックス３５を取り付け、下ユニット６０を下方に移動する。これにより、回胴式遊技機２０の設置高さをパチンコ遊技機１０よりも低くする。一方、回胴式遊技機２０からパチンコ遊技機１０に入れ替えられる場合には、図１（Ａ）に示すように、上ユニット３０を下方に移動し、上ユニット３０から玉箱ボックス３５を取り外し、下ユニット６０を上方に移動する。これにより、パチンコ遊技機１０の設置高さを回胴式遊技機２０よりも高くする。以下、このように構成される島台１について、図を参照しながら詳細に説明する。
＜２．島台１の構成＞
図２は、パチンコ遊技機１０を設置するときの島台１の正面図、右側面図、平面図、Ａ−Ａ断面図であり、図３は、回胴式遊技機２０を設置するときの島台１の正面図、右側面図、平面図、Ｂ−Ｂ断面図である。なお、以下の説明においては、回胴式遊技機２０は、パチンコ遊技機１０と同じ高さに設計されたパチスロ遊技機２０として説明する。また、島台１は、片面のみに遊技機が設置される場合について説明する。
【００３６】
島台１は、特に図２、３の平面図、Ａ−Ａ断面図、Ｂ−Ｂ断面図に示すように、平面視したとき４本の支柱３ａ、ｂが矩形の四隅に位置するように垂直状に立設され、その前側２本の支柱３ａに、上ユニット３０と下ユニット６０が上下に移動自在に取り付けられている。支柱３ａ同士及び支柱３ｂ同士の間隔は、遊技機（パチンコ遊技機１０またはパチスロ遊技機２０）の横寸に図示しない玉貸機等の台間ユニットの横寸を加算した寸法（例えば５６０、６６０ミリ）に形成され、また、対向する支柱３ａと支柱３ｂの間隔は、内蔵される遊技媒体の補給、回収設備等が支障しない寸法（例えば３５０、４５０、５００ミリ）に形成されている。
【００３７】
支柱３ａ、ｂは、スチール等の材質で形成され、対向する支柱３ａと支柱３ｂの下部間には、該支柱３ａと該支柱３ｂを連結するＬ字金具４が設けられており、このＬ字金具４は、ボルト５ａ、ｂにより支柱３ａ、ｂに螺着されている。また、Ｌ字金具４は、アンカーボルト６ａ、ｂにより遊技場の床面に固定されている。ここで、支柱３ａ、ｂの下端には高さ調節脚７ａ、ｂが設けられており、この高さ調節脚７ａ、ｂは、ボルトに螺合されたナットを回転させることにより、支柱３ａ、ｂの高さを調節できるようになっている。
【００３８】
そして、Ｌ字金具４の両側面（支柱３ａ、ｂの内側に係合する面）には、図示しない一対の長穴が穿設されており、上記したボルト５ａ、ｂは、この長穴を介して支柱３ａ、ｂに螺着されている。従って、支柱３ａ、ｂは、このような構成により、遊技場の床面に垂直状に立設されると共に、高さ調節脚７ａ、ｂによる支柱３ａ、ｂの高さ調節を可能にしている。これにより、床面に凹凸があっても、支障なく支柱３ａ、ｂを設置することが可能になる。
【００３９】
また、Ｌ字金具４は、図１２に示す薄肉の金属板で形成される化粧板８により、全体が覆われるようになっているが、この化粧板８の構成については後述する（図２、３では、化粧板８は図示せず）。また、図中、９は、木等の材質により形成される底板であり、この底板９の構成についても後述する。なお、上記したＬ字金具４の両側面に設けた長穴は、支柱３ａ、ｂ側に設けるようにしてもよい。
【００４０】
一方、対向する支柱３ａと支柱３ｂの上部間には、該支柱３ａと該支柱３ｂを連結する桟１１が架設されている。この桟１１は、島台１の補強を図るのは勿論のこと、島台１にパチスロ遊技機２０を設置する場合には、メダルをパチスロ遊技機２０に補給するための補給装置を水平支持するようになっている。つまり、この場合には、桟１１は、仕様によって設置される高さ位置が異なる補給装置に対応して、予め支柱３ａ、ｂの所定の高さ位置に設けられるようになっている。なお、この桟１１の支柱３ａ、ｂへの取り付けは、図示していないが、ボルト等により支柱３ａ、ｂの所定の高さに固定されるようになっている。
【００４１】
また、桟１１同士の間には、図２、３の平面図に示すように、一対の補強金具１２が着脱自在に架設されている。ここで、補強金具１２の構成について、図１１を参照しながら説明する。図１１は、補強金具１２の構成を示す正面図である。補強金具１２は、スチール等の材質で形成され、その両端に桟１１に嵌合するための上方に突出したコの字板１２ａと、該コの字板１２ａ同士を連結するための水平平板状の連結板１２ｂで構成されている。
【００４２】
そして、両端のコの字板１２ａを桟１１にそれぞれ嵌合することにより、一対の補強金具１２は、連結板１２ｂが所定の間隔（前後方向の間隔）を有して平行に桟１１同士の間に形成されると共に、桟１１に対して着脱自在に装着される。この際、連結板１２ｂは、桟１１の下面と略同一平面上に位置するように形成される。なお、図２、３の平面図において、右側に示す一対の補強金具１２は、隣接する遊技機に対応する補強金具１２である。この隣接する遊技機に対応する一対の補強金具１２は、図示では、当該遊技機に対応する一対の補強金具１２よりもそれぞれ内側に位置するように設けられているが、これらの補強金具１２の取り付け位置は、特に限定するものではなく、一対の補強金具１２は、適宜間隔にて桟１１に平行状に取り付けるようにすればよい。
【００４３】
補強金具１２は、島台１の補強、特に支柱３ａ、ｂの横方向へのズレに対する補強を図ると共に、島台１にパチンコ遊技機１０を設置する場合には、図２の平面図に示すように、連結板１２ｂ上に木等の材質により形成される上板１３が載置されるようになっている。なお、この上板１３の構成については後述する。また、図中、１４は、島台１の片面のみに遊技機が設置される場合に限って取り付けられる、島台１の背面側を覆うバックパネルである。
【００４４】
次に、図１２を参照しながら、化粧板８の構成について説明する。図１２は、化粧板８の構成を示す斜視図である。化粧板８は、１つのコの字板８ａと、一対の添え板８ｂと、一対の側板８ｃから構成されている。上述したように、化粧板８にてＬ字金具４を覆うには、一対の添え板８ｂを両側から挟み込むようにＬ字金具４と支柱３ａ、ｂに宛がい、次に、上方からコの字板８ａを、添え板８ｂの切り欠かれた凹部８ｂ１外側に嵌合するように取り付ける。この状態では、Ｌ字金具４は、添え板８ｂの凹部８ｂ１とコの字板８ａによりその全体が覆われ、さらに、支柱３ａ、ｂの下部側面が添え板８ｂの凸部８ｂ２により覆われた状態となる。そして、この状態で、側板８ｃを図２、３の右側面図における左右方向から添え板８ｂの凸部８ｂ２外側に嵌合するように取り付ける。これにより、化粧板８は、ボルト等の固定具を使用することなく島台１にしっかりと固定され、Ｌ字金具４と支柱３ａ、ｂの下部が化粧板８にて覆われ、島台１は美観を保つことができる。
【００４５】
次に、底板９の構成について説明する。底板９は、平面視したとき４本の支柱３ａ、ｂで形成される矩形の空間を隙間なく覆うように閉塞する矩形の平板状に形成され、図２、３の右側面図に示すように、島台１に設置される高さが、パチンコ遊技機１０のときとパチスロ遊技機２０のときとで異なっている。つまり、底板９は、島台１において、後述する下ユニット６０の下端と一連の略水平状となる位置に着脱自在に設けられ、パチンコ遊技機１０のときの方が、パチスロ遊技機２０のときよりも高い位置に形成されている。
【００４６】
底板９の島台１への取り付けは、特に限定するものではないが、例えば、パチスロ遊技機２０のときでは、図３の右側面図に示すように、下ユニット６０の下端面が化粧板８の上端面と連なるように形成されるので、従って、底板９を化粧板８上に載置するように取り付けてもよいし、底板９を化粧板８の上端面と連なるように化粧板８同士の間に嵌め込むようにしてもよい。また、パチンコ遊技機１０のときでは、下ユニット６０の下端部に、島台１の内側に向かって延在する取付板を設け、この取付板の上に底板９を載置するように取り付けてもよい。ただし、本実施形態のように、島台１の片面のみにしかパチンコ遊技機１０が設置されない場合には、下ユニット６０も片面にしか取り付けられないので、この場合には、下ユニット６０が取り付けられない図２の右側面図に示す支柱３ｂに、上記取付板と対向する取付板を設けるようにしてもよい。
【００４７】
このように構成される底板９は、４本の支柱３ａ、ｂで形成される島台１の下部における矩形の空間を閉塞するので、島台１から遊技媒体（パチンコ玉、メダル）や、ボルト、ナット等を始めとする内部の備品が、島台１の下部や外部に落下するのを防止することができる。また、底板９には、島台１にパチスロ遊技機２０が設置される場合には、パチスロ遊技機２０から排出されたメダルを回収するための回収装置が底板９上に設置される。また、さらに、底板９には、島台１にパチンコ遊技機１０が設置される場合には、パチンコ遊技機１０から排出されたパチンコ玉を回収して貯留、揚送する後述の下部タンク２１や玉研磨揚送機２２（後述の図１３参照）が底板９上に設置される。
【００４８】
次に、上板１３の構成について説明する。上板１３は、島台１にパチンコ遊技機１０を設置する場合に設けられる板であって、上述したように、２本の補強金具１２の連結板１２ｂ上に載置され、この状態で上板１３は、その上面が桟１１の上面と略同一平面上に位置するように形成されている。図２の平面図に示すように、上板１３は、２本の桟１１間の略中央（左右方向の中央）に位置するように連結板１２ｂ上に載置され、上板１３の奥行き長さは、略桟１１の長さに等しく、上板１３の左右方向の長さは、略補強金具１２の半分の長さに等しく形成され、従って、上板１３の左右両側には２つの空間領域が形成されている。
【００４９】
そして、島台１において、上板１３の上には、パチンコ遊技機１０にパチンコ玉を貯留して補給するための上部タンク２４が設置され、上記した２つの空間領域のうち上板１３右側の空間領域２３には、下部タンク２１から研磨揚送したパチンコ玉を上部タンク２４に導出するための玉研磨揚送機２２の上部（後述の研磨レール部２８）が挿入されるようになっている。
【００５０】
ここで、図１３を参照しながら、下部タンク２１や玉研磨揚送機２２、上部タンク２４等の補給回収機構の構成及び島台１への脱着について説明する。図１３は、島台１にパチンコ遊技機１０が設置されたときに、島台１に内蔵される補給回収機構を説明するための模式図である。まず、補給回収機構を島台１に取り付けるには、パチンコ遊技機１０からアウト玉ボックス等を介して排出されるパチンコ玉を貯留するため、下部タンク２１をパチンコ遊技機１０下のやや左側寄りに位置するように底板９上にビス等で固定する。
【００５１】
次に、上部タンク２４を上板１３上にビス等で固定し、上部タンク２４から延びるジャバラホース４１をパチンコ遊技機１０の背面上部に設けられる玉貯留タンクに臨ませる。次に、玉研磨揚送機２２の本体部２７を、下部タンク２１の右側に隣接するように底板９上にビス等で固定する。この際、下部タンク２１から延びるジャバラホース２５をビス２６で本体部２７に固定する。次に、上部タンク２４の右側面上部に設けられた接合部２９に、玉研磨揚送機２２の研磨レール部２８上部を差し込むと共に、研磨レール部２８下部をビス４２にて本体部２７に固定する。
【００５２】
この状態で、玉研磨揚送機２２は、パチンコ遊技機１０背面の右奥側に位置し、研磨レール部２８は、空間領域２３（図２平面図参照）を通過して、その上端の玉排出口が上部タンク２４に臨んでいる。これにより、パチンコ遊技機１０から排出されて回収されたパチンコ玉は、下部タンク２１に一旦貯留された後、玉研磨揚送機２２に導出され、玉研磨揚送機２２に導出されたパチンコ玉は、研磨されながら揚送されて上部タンク２４に導出され、上部タンク２４に導出されたパチンコ玉は、パチンコ遊技機１０に補給される。この構成により、補給回収機構は、島台１へ容易に取り付けることができ、パチンコ遊技機１０で使用されるパチンコ玉は、常にきれいな状態に保たれる。
【００５３】
なお、玉研磨揚送機２２の本体部２７には、パチンコ玉を揚送するための駆動装置が内蔵されており、また、玉研磨揚送機２２の研磨レール部２８には、その略中央（上下方向の中央）箇所に、研磨材をセットするための扉部材４３が、図１３の矢印Ｙ方向に開閉自在に設けられている。なお、この研磨材を交換するには、パチンコ遊技機１０の前枠を開放して行う。また、ジャバラホース２５は、下部タンク２１に貯留されたパチンコ玉を玉研磨揚送機２２に導出するための装置であり、ジャバラホース４１は、上部タンク２４に貯留されたパチンコ玉をパチンコ遊技機１０に導出するための装置である。また、図１３には図示していないが、上部タンク２４に貯留されたパチンコ玉を玉貸機等の台間ユニットに導出するジャバラホースを、別途設けるようにしてもよい。
【００５４】
一方、補給回収機構を島台１から取り外すには、上述した手順と逆の作業を行えばよい。即ち、ビス２６を緩めてジャバラホース２５を本体部２７から引き抜き、ビス４２を緩めて研磨レール部２８を上方に引き上げ、研磨レール部２８を本体部２７及び上部タンク２４の接合部２９から取り外し、ビス等を緩めて下部タンク２１及び本体部２７を底板９から、上部タンク２４を上板１３からそれぞれ取り外せばよい。
【００５５】
このように、補給回収機構は、島台１から容易に取り付けたり、取り外したりすることができるので、島台１において、パチンコ遊技機１０とパチスロ遊技機２０の入れ替え作業が極めて容易となる。特に、上述したような構成の補給回収機構は、遊技者が獲得したパチンコ玉を一旦玉箱に受け入れ、該玉箱に貯留しきれないパチンコ玉を計数しながら島台１に返却する、限られたパチンコ玉数（例えば２０００個）で遊技を行うことのできる玉貯留返却計数装置（いわゆる「個別ＪＣ」）が、各パチンコ遊技機１０と対応して設けられる島台１に適用すると好適である。
【００５６】
なお、上述した説明では、島台１の片面のみにパチンコ遊技機１０が設置された場合における補給回収機構の取り付け状態であり、この状態では、下部タンク２１、玉研磨揚送機２２、上部タンク２４等の補給回収機構を構成する装置は、図２の右側面図に示す底板９及び上板１３の中心（前後方向の中心）より左側に配置されている。仮に、島台１の両面にパチンコ遊技機１０が設置される場合には、補給回収機構を、図２の右側面図に示す底板９及び上板１３の中心（前後方向の中心）より右側にも、上記の手順に準じて配置すればよい。
【００５７】
あるいは、島台１の片面（左側）にパチンコ遊技機１０が、もう一方の片面（右側）にパチスロ遊技機２０が設置される場合には（図１７参照）、図２の右側面図に示す底板９及び上板１３の中心（前後方向の中心）より右側に、パチスロ遊技機２０の補給回収機構を配置すればよい。
【００５８】
なお、パチスロ遊技機２０の補給回収機構の詳しい構成は省略するが、上述したように、桟１１で補給装置を水平支持すると共に、回収装置を底板９上に設置すればよい。この場合、底板９は、パチンコ遊技機１０に対応した高さ（パチスロ遊技機２０のときよりも高い位置）に設置されているが、仮に、パチスロ遊技機２０の回収装置の設置に支障するときは、底板９の高さを適宜下げるようにしてもよく、あるいは、奥行き長さを半分にした底板９を２つ形成して、この半分にした底板９をそれぞれパチンコ遊技機１０及びパチスロ遊技機２０に対応した高さ位置に設けるようにしてもよい。
【００５９】
また、同様に、上板１３や補強金具１２がパチスロ遊技機２０の補給装置の設置に支障するときは、奥行き長さを半分にした上板１３を形成し、一対の補強金具１２を手前側に寄せて該上板１３を連結板１２ｂ上に載置すればよい（図１７参照）。このようにすれば、上板１３や補強金具１２がパチスロ遊技機２０の補給装置の設置に支障することはない。
＜３．島台１の要部構成＞
次に、本発明に係る島台１の要部の構成について説明する。図４は、上ユニット３０の正面図、Ｃ−Ｃ断面図、Ｄ−Ｄ断面図であり、図５は、上ユニット３０の左側の部分分解斜視図である。上ユニット３０は、上板３６と、上板３６に対向する底板３８と、上板３６と底板３８を連結する一対の側板３７ａ、ｂとで、図４の正面図に示すように略矩形の枠状に形成されている。
【００６０】
側板３７ａ、ｂの下部及び底板３８の前面側には、矩形の前板３９が付設されており、これら上ユニット３０を構成する上板３６、側板３７ａ、ｂ、底板３８、前板３９は、木等の材質により形成されている。上板３６と前板３９は、側板３７ａ、ｂから外側に若干突出するように設けられている。また、上板３６と前板３９の間の空間は、上記した幕板部３１であり、この幕板部３１に開閉自在に上記の幕板が設けられるようになっている。
【００６１】
また、前板３９は、上記した押釦部３３であり、この押釦部３３に上記の呼出ランプが取り付けられるようになっている。前板３９の中央には、円形孔５１が穿設されており、この円形孔５１を介して、取り付けられた呼出ランプの配線が島台１内に引き込まれる。また、底板３８には、図４のＤ−Ｄ断面図に示すように、上記した玉箱ボックス３５を下方から取り付けるための３つの取付穴５２が穿設されている。
【００６２】
図８は、玉箱ボックス３５の正面図、Ｅ−Ｅ断面図であり、図９は、玉箱ボックス３５が取り付けられたときの上ユニット３０の正面図である。玉箱ボックス３５は、上記したように、島台１にパチスロ遊技機２０を設置する場合に上ユニット３０に取り付けられるもので、上板５３と、上板５３に対向する底板５５と、上板５３と底板５５を連結する一対の側板５４ａ、ｂと、上板５３、側板５４ａ、ｂ、底板５５の後面側に付設される後板５６とで、前面開放の箱状に形成されている。
【００６３】
玉箱ボックス３５の上板５３には、上ユニット３０の底板３８に穿設された３つの取付穴５２（図４のＤ−Ｄ断面図参照）に対応するように、３つのボルト５８が軸部を上方に突出するように設けられており、これらのボルト５８を下方から取付穴５２にそれぞれ挿入し、図示しないナットで螺着することにより、図９に示すように、玉箱ボックス３５を上ユニット３０の下側に装着する。
【００６４】
また、図中５７は、玉箱ボックス３５の内部空間を仕切る仕切板であり、この仕切板５７にて仕切られた左側の空間領域５９ａに、遊技者が獲得したメダル等が貯留された玉箱が収納されるようになっており、この空間領域５９ａに比して小さい右側の空間領域５９ｂには、遊技者から挿入される紙幣を識別するビルバリ（紙幣識別装置）等の機材が組み込まれるようになっている。
【００６５】
しかして、上ユニット３０の側板３７ａ、ｂには、上ユニット３０を２本の支柱３ａに対して上下に移動固定可能な、本発明の要部となる上記した位置調整固定手段を構成する上係止部材７０が取り付けられている。上係止部材７０は、金属等の材料により形成され、図５に示すように、矩形薄板状のベース板７１と、該ベース板７１から突出する一対の上係止ピン７２ａ、ｂとから成っている。
【００６６】
側板３７ａ、ｂには、上係止部材７０の上係止ピン７２ａ、ｂに対応するように取付穴７３ａ、ｂが穿設されており、上係止部材７０は、上係止ピン７２ａ、ｂを取付穴７３ａ、ｂに内側から挿入し、ベース板７１に穿設された取付穴を介してビス７４（図４のＣ−Ｃ断面図参照）で螺着することにより、上係止部材７０を側板３７ａ、ｂの略中央（上下方向の中央）箇所に取り付ける。上係止部材７０を側板３７ａ、ｂに取り付けた状態では、図４に示すように、上係止ピン７２ａ、ｂは、その先端側が所定の長さだけ側板３７ａ、ｂから突出した状態となっている。このようにして、位置調整固定手段を構成する上係止部材７０は、上ユニット３０に左右対称に取り付けられ、上ユニット３０は、この上係止部材７０により、島台１（支柱３）に対して上下に移動可能に構成される。
【００６７】
次に、下ユニット６０の構成について説明する。図６は、下ユニット６０の正面図、右側面図であり、図７は、下ユニット６０の左側の部分分解斜視図である。下ユニット６０は、上板６４と、上板６４に対向する上板６４より奥行き幅の狭い底板６５と、上板６４と底板６５を連結する一対の側板６６ａ、ｂとで、図６の正面図に示すように略々矩形の枠状に形成されている。
【００６８】
側板６６ａ、ｂは、内側に向かって突出する突出部６６ａ１、ｂ１を備えており、この突出部６６ａ１と突出部６６ｂ１には、その下端面を連結する連結板６７が架設されている。側板６６ａ、ｂは、突出部６６ａ１、ｂ１が支柱３ａ間の内側に位置するように（突出部６６ａ１、ｂ１は、支柱３ａと当接していてもよい）形成されており、突出部６６ａ１、ｂ１以外の箇所は、支柱３ａから突出するようになっている。また、上板６４、底板６５、側板６６ａ、ｂの前面側には、矩形薄肉状の化粧板６８が立設されており、これら上板６４、底板６５、側板６６ａ、ｂ、連結板６７、化粧板６８により、上記した下ユニット６０の腰板部６３を形成している。
【００６９】
さらに、下ユニット６０には、上板６４の上部に、上記した島台１に対して前方側に突出する略矩形板状の天板６１が、上板６４を覆うように設けられている。つまり、下ユニット６０は、天板６１と腰板部６３とから構成されている。また、天板６１及び上板６４には、図２、３のＡ−Ａ断面図、Ｂ−Ｂ断面図に示すように、矩形の回収孔６９が穿設されており、この回収孔６９は、島台１にパチスロ遊技機２０が設置された場合に、該パチスロ遊技機２０から排出されるメダルを回収して内部の回収機構へ導出するための装置である。なお、下ユニット６０を構成する天板６１、上板６４、底板６５、側板６６ａ、ｂ、連結板６７、化粧板６８は、木等の材質により形成されている。また、天板６１は、その表面を覆う化粧板等を装着するようにしてもよい。
【００７０】
しかして、下ユニット６０の上板６４及び側板６６ａ、ｂには、下ユニット６０を２本の支柱３ａに対して上下に移動固定可能な、本発明の要部となる上記した位置調整固定手段を構成する下係止部材８０が取り付けられている。下係止部材８０は、上係止部材７０と同様に、金属等の材料により形成され、図７に示すように、Ｌ字形薄板状のベース板８１と、該ベース板８１から突出する一対の下係止ピン８２ａ、ｂとから成っている。ベース板８１は、上端に形成される略正方形の上端部８１ａと、上端部８１ａの縁から下方に延びる矩形のベース部８１ｂを備えている。
【００７１】
上板６４は、その上面奥側の左右端部に、ベース板８１の上端部８１ａと係合するための該上端部８１ａの形状とほぼ合致する略正方形の係合溝８３が形成されている。下係止部材８０は、上端部８１ａを上方から上板６４の係合溝８３に係合すると共に、ベース部８１ｂを外側から側板６６ａ、ｂの突出部６６ａ１、ｂ１に当接し、ベース板８１（上端部８１ａ、ベース部８１ｂ）に穿設された取付穴を介してビス８４（図６の右側面図参照）で螺着することにより、下係止部材８０を上板６４の係合溝８３及び側板６６ａ、ｂの突出部６６ａ１、ｂ１に、つまり下ユニット６０の後部上方の両側面箇所に取り付ける。
【００７２】
そして、下係止部材８０を下ユニット６０に取り付けたら、天板６１を、上板６４を覆うように設置する。すると、ベース板８１の上端部８１ａは、天板６１の下面と上板６４の上面とで挟持され、これにより、下係止部材８０は、より強固に下ユニット６０に取り付けられる。下係止部材８０を下ユニット６０に取り付けた状態では、図６の正面図に示すように、下係止ピン８２ａ、ｂは、その先端側が所定の長さだけ側板６６ａ、ｂから突出した状態となっている。このようにして、位置調整固定手段を構成する下係止部材８０は、下ユニット６０に左右対称に取り付けられ、下ユニット６０は、この下係止部材８０により、島台１（支柱３）に対して上下に移動可能に構成される。なお、下係止ピン８２ａ、ｂの径は、上述した上係止ピン７２ａ、ｂの径と同一に形成されている。
【００７３】
次に、支柱３ａの構成について説明する。図１０は、支柱３ａの構成を説明する説明図であり、（Ａ）は支柱３ａの正面図及び右側面図を示し、（Ｂ）は支柱３ａの上係止溝９０（下係止溝９１）付近の拡大正面図及び拡大右側面図を示し、（Ｃ）は支柱３ａのＦ−Ｆ断面図及びＧ−Ｇ断面図を示している。支柱３ａは、上下方向に長尺の角パイプ状に形成され、上部に一対の上第１係止溝９０ａ、上第２係止溝９０ｂ、上第３係止溝９０ｃ、上第４係止溝９０ｄからなる位置調整固定手段を構成する上係止溝９０と、下部に一対の下第１係止溝９１ａ、下第２係止溝９１ｂ、下第３係止溝９１ｃ、下第４係止溝９１ｄからなる位置調整固定手段を構成する下係止溝９１を有している。
【００７４】
支柱３ａに形成された各係止溝９０ａ〜ｄ、９１ａ〜ｄは、上記したようにそれぞれ対をなしているが、同じ係止溝同士（例えば上第１係止溝９０ａ同士）の形状は、図示するように（例えば図１０のＦ−Ｆ断面図）、正面から見て左右対称に形成され、そのうち、２本の支柱３ａの内側にそれぞれ配置される係止溝９０ａ〜ｄ、９１ａ〜ｄ（図１０の正面図参照）に、上述した支柱３ａ同士の間に設置される遊技機に対応する上ユニット３０の上係止ピン７２ａ、ｂと下ユニット６０の下係止ピン８２ａ、ｂが挿入されるようになっている。
【００７５】
なお、２本の支柱３ａの外側にそれぞれ配置される係止溝９０ａ〜ｄ、９１ａ〜ｄは、隣接する遊技機に対応するものであり、島台１が遊技機１台のみを設置するいわゆる単独島として使用されるときは、これら２本の支柱３ａの外側にそれぞれ配置される係止溝９０ａ〜ｄ、９１ａ〜ｄは、使用されない。
【００７６】
ここで、図１０（Ｂ）（Ｃ）を参照しながら、係止溝９０ａ〜ｄ、９１ａ〜ｄの形状について説明する。係止溝９０ａ〜ｄ、９１ａ〜ｄは、それぞれ同形状に形成されており、その形状は、支柱３ａの前板９２を略矩形状に切り欠いた前切欠部９３と、支柱３ａの側板９４ａ、ｂを水平状の水平切欠部９５ａと垂直状の垂直切欠部９５ｂとで略Ｌ字状に切り欠いた前切欠部９３と連なる側切欠部９５とにより形成されている。前切欠部９３及び側切欠部９５の大きさは、上記上係止ピン７２ａ、ｂ及び下係止ピン８２ａ、ｂの径より若干大きく形成され、また、側切欠部９５は、その上角部（水平切欠部９５ａと垂直切欠部９５ｂの連結部）に１／４円程度の曲面Ｒ１と、垂直切欠部９５ｂの底部に半円程度の曲面Ｒ２を有している。
【００７７】
上係止溝９０において、各係止溝９０ａ〜ｄは、支柱３ａの上から順に形成され、その上下方向の間隔は、図１０の正面図及び右側面図に示すように、上第１係止溝９０ａと上第３係止溝９０ｃの間隔と、上第２係止溝９０ｂと上第４係止溝９０ｄの間隔が等しくなるように形成されている。つまり、上第１係止溝９０ａ及び上第３係止溝９０ｃはパチスロ遊技機２０に対応しており、上第２係止溝９０ｂ及び上第４係止溝９０ｄはパチンコ遊技機１０に対応している。
【００７８】
下係止溝９１において、各係止溝９１ａ〜ｄは、支柱３ａの上から順に形成され、その上下方向の間隔は、図１０の正面図及び右側面図に示すように、下第１係止溝９１ａと下第２係止溝９１ｂの間隔と、下第３係止溝９１ｃと下第４係止溝９１ｄの間隔が等しくなるように形成されている。つまり、下第１係止溝９１ａ及び下第２係止溝９１ｂはパチンコ遊技機１０に対応しており、下第３係止溝９１ｃ及び下第４係止溝９１ｄはパチスロ遊技機２０に対応している。
【００７９】
なお、支柱３ｂにも、支柱３ａと同様に上係止溝９０及び下係止溝９１（係止溝９０ａ〜ｄ、９１ａ〜ｄ）が形成されるが、これら支柱３ｂの係止溝９０ａ〜ｄ、９１ａ〜ｄは、島台１の両面に遊技機が設置される場合に使用されることになる。
＜４．遊技機の入れ替え＞
以上のように構成される島台１において、パチンコ遊技機１０とパチスロ遊技機２０を入れ替える場合について説明する。図１４は、パチンコ遊技機１０とパチスロ遊技機２０を入れ替える場合の説明図であり、（Ａ）は上ユニット３０を支柱３ａに取り付けるときの説明図を示し、（Ｂ）は下ユニット６０を支柱３ａに取り付けるときの説明図を示し、（Ａ）（Ｂ）共に島台１の右側面側から見た図を示している。
【００８０】
まず、パチスロ遊技機２０を島台１に設置する場合には、図１４（Ａ）に示すように、上ユニット３０を島台１の前方側から後方側に移動して、上ユニット３０の側板３７ａ、ｂから外側に突出している上係止ピン７２ａ及び上係止ピン７２ｂを、支柱３ａの上第１係止溝９０ａ及び上第３係止溝９０ｃに挿入する。この際、上係止ピン７２ａ、ｂは、支柱３ａの前板９２が切り欠かれた前切欠部９３から進入し、この前切欠部９３と連なる支柱３ａの側板９４ａ、ｂが切り欠かれた側切欠部９５の水平切欠部９５ａの形状に沿って水平に移動する。すると、上係止ピン７２ａ、ｂは、側切欠部９５の上角部に形成された曲面Ｒ１に誘導されて、側切欠部９５の垂直切欠部９５ｂの底部に形成された曲面Ｒ２にスムーズに到達する（図１０（Ｂ）（Ｃ）参照）。これにより、上係止ピン７２ａが上第１係止溝９０ａに、上係止ピン７２ｂが上第３係止溝９０ｃにそれぞれ係止され、上ユニット３０は支柱３ａにしっかりと固定される。この状態では、上ユニット３０の上端は、図３の正面図に示すように、支柱３ａの上端よりＴ３だけ高い位置にある。
【００８１】
そして、上ユニット３０を支柱３ａに固定したら、玉箱ボックス３５を下方から上ユニット３０に吊り下げるように取り付ける。これは、上ユニット３０の底板３８に穿設された３つの取付穴５２に、玉箱ボックス３５の上板５３から突出する３つのボルト５８を挿通しナットで螺着することにより行う（図４、図８参照）。
【００８２】
上記の説明から明らかなように、上ユニット３０の上係止ピン７２ａと上係止ピン７２ｂの間隔は、支柱３ａの上第１係止溝９０ａと上第３係止溝９０ｃの間隔と等しく形成されており、パチスロ遊技機２０を島台１に設置する場合には、上ユニット３０は、島台１の前方側から後方側に移動させるだけで、上係止ピン７２ａが上第１係止溝９０ａに、上係止ピン７２ｂが上第３係止溝９０ｃに係止され、これにより極めて容易に上ユニット３０を支柱３ａに固定することができる。そして、このように上ユニット３０が固定された状態で、玉箱ボックス３５を上ユニット３０に装着すると、玉箱ボックス３５の底板５５が、島台１に設置するパチスロ遊技機２０の上端を支持する位置に配置される。
【００８３】
次に、図１４（Ｂ）に示すように、下ユニット６０を、上ユニット３０と同様に島台１の前方側から後方側に移動して、下ユニット６０の側板６６ａ、ｂから外側に突出している下係止ピン８２ａ及び下係止ピン８２ｂを、支柱３ａの下第３係止溝９１ｃ及び下第４係止溝９１ｄに挿入する。この際の下係止ピン８２ａ、ｂの移動状態は、上記の上係止ピン７２ａ、ｂと同じなので、ここでの説明は省略する。これにより、下係止ピン８２ａが下第３係止溝９１ｃに、下係止ピン８２ｂが下第４係止溝９１ｄにそれぞれ係止され、下ユニット６０は支柱３ａにしっかりと固定される。この状態では、下ユニット６０の上端は、図３の正面図に示すように、遊技場の床面よりＴ４だけ高い位置にある。
【００８４】
上記の説明から明らかなように、下ユニット６０の下係止ピン８２ａと下係止ピン８２ｂの間隔は、支柱３ａの下第３係止溝９１ｃと下第４係止溝９１ｄの間隔と等しく形成されており、パチスロ遊技機２０を島台１に設置する場合には、下ユニット６０は、島台１の前方側から後方側に移動させるだけで、下係止ピン８２ａが下第３係止溝９１ｃに、下係止ピン８２ｂが下第４係止溝９１ｄに係止され、これにより極めて容易に下ユニット６０を支柱３ａに固定することができる。そして、このように下ユニット６０が固定された状態では、下ユニット６０の天板６１が、島台１に設置するパチスロ遊技機２０の下端を支持する位置に配置される。
【００８５】
次に、島台１に設置しているパチスロ遊技機２０を、パチンコ遊技機１０に入れ替える場合には、上ユニット３０の底板３８からナットを緩めてボルト５８を離脱し、玉箱ボックス３５を上ユニット３０から取り外す。次に、上ユニット３０を少し上方に持ち上げてから島台１の手前側に引っ張るように移動して、上ユニット３０の上係止ピン７２ａ、ｂを、支柱３ａの上第１係止溝９０ａ及び上第３係止溝９０ｃからそれぞれ離脱する。この際、上係止ピン７２ａ、ｂは、上方に持ち上げたときに側切欠部９５の曲面Ｒ１に誘導され、その後手前側に引っ張ることにより、側切欠部９５の水平切欠部９５ａの形状に沿って水平移動しながらスムーズに前切欠部９３から容易に離脱する（図１０（Ｂ）（Ｃ）参照）。
【００８６】
そして、上ユニット３０を支柱３ａから離脱したら、上係止ピン７２ａ、ｂを、上記に準じて、支柱３ａの上第２係止溝９０ｂ及び上第４係止溝９０ｄに挿入する。これにより、上係止ピン７２ａが上第２係止溝９０ｂに、上係止ピン７２ｂが上第４係止溝９０ｄにそれぞれ係止され、上ユニット３０は支柱３ａにしっかりと固定される。この状態では、上ユニット３０の上端は、図２の正面図に示すように、支柱３ａの上端よりＴ１だけ高い位置にある。Ｔ１は、上記のＴ３よりも小さく、つまりパチスロ遊技機２０をパチンコ遊技機１０に入れ替える場合には、上ユニット３０は、Ｔ３−Ｔ１だけ設置位置が低くなり、このＴ３−Ｔ１の長さは、図１４（Ａ）に示すように、上係止ピン７２ａが挿入される上第１係止溝９０ａと上第２係止溝９０ｂの間隔、及び、上係止ピン７２ｂが挿入される上第３係止溝９０ｃと上第４係止溝９０ｄの間隔と等しくなっている。
【００８７】
上記の説明から明らかなように、上ユニット３０の上係止ピン７２ａと上係止ピン７２ｂの間隔は、支柱３ａの上第２係止溝９０ｂと上第４係止溝９０ｄの間隔と等しく形成されており、島台１に設置しているパチスロ遊技機２０をパチンコ遊技機１０に入れ替える場合には、上ユニット３０は、少し上方に持ち上げてから島台１の手前側に引っ張るように移動させるだけで、上係止ピン７２ａが上第１係止溝９０ａから、上係止ピン７２ｂが上第３係止溝９０ｃから離脱され、これにより極めて容易に上ユニット３０を支柱３ａから離脱することができる。そして、この離脱した上ユニット３０は、島台１の前方側から後方側に移動させるだけで、上係止ピン７２ａが上第２係止溝９０ｂに、上係止ピン７２ｂが上第４係止溝９０ｄに係止され、これにより極めて容易に上ユニット３０を支柱３ａに固定することができる。そして、上ユニット３０が固定された状態では、上ユニット３０の底板３８が、島台１に設置するパチンコ遊技機１０の上端を支持する位置に配置される。
【００８８】
次に、下ユニット６０を、上ユニット３０と同様に少し上方に持ち上げてから島台１の手前側に引っ張るように移動して、下ユニット６０の下係止ピン８２ａ、ｂを、支柱３ａの下第３係止溝９１ｃ及び下第４係止溝９１ｄからそれぞれ離脱する。この際の下係止ピン８２ａ、ｂの移動状態は、上記の上係止ピン７２ａ、ｂと同じなので、ここでの説明は省略する。
【００８９】
そして、下ユニット６０を支柱３ａから離脱したら、下係止ピン８２ａ、ｂを、上記に準じて、支柱３ａの下第１係止溝９１ａ及び下第２係止溝９１ｂに挿入する。これにより、下係止ピン８２ａが下第１係止溝９１ａに、下係止ピン８２ｂが下第２係止溝９１ｂにそれぞれ係止され、下ユニット６０は支柱３ａにしっかりと固定される。この状態では、下ユニット６０の上端は、図２の正面図に示すように、遊技場の床面よりＴ２だけ高い位置にある。Ｔ２は、上記のＴ４よりも大きく、つまりパチスロ遊技機２０をパチンコ遊技機１０に入れ替える場合には、下ユニット６０は、Ｔ２−Ｔ４だけ高くなり、このＴ２−Ｔ４の長さは、図１４（Ｂ）に示すように、下係止ピン８２ａが挿入される下第１係止溝９１ａと下第３係止溝９１ｃの間隔、及び、下係止ピン８２ｂが挿入される下第２係止溝９１ｂと下第４係止溝９１ｄの間隔と等しくなっている。
【００９０】
上記の説明から明らかなように、下ユニット６０の下係止ピン８２ａと下係止ピン８２ｂの間隔は、支柱３ａの下第１係止溝９１ａと下第２係止溝９１ｂの間隔と等しく形成されており、下ユニット６０は、少し上方に持ち上げて島台１のから手前側に引っ張るように移動させるだけで、下係止ピン８２ａが下第３係止溝９１ｃから、下係止ピン８２ｂが下第４係止溝９１ｄから離脱され、これにより極めて容易に下ユニット６０を支柱３ａから離脱することができる。そして、この離脱した下ユニット６０は、島台１の前方側から後方側に移動させるだけで、下係止ピン８２ａが下第１係止溝９１ａに、下係止ピン８２ｂが下第２係止溝９１ｂに係止され、これにより極めて容易に下ユニット６０を支柱３ａに固定することができる。そして、下ユニット６０が固定された状態では、下ユニット６０の天板６１が、島台１に設置するパチンコ遊技機１０の下端を支持する位置に配置される。
【００９１】
なお、上記の説明では、パチスロ遊技機２０をパチンコ遊技機１０に入れ替える場合について説明したが、パチンコ遊技機１０をパチスロ遊技機２０に入れ替える場合についても、上記に準じて行うようにすればよい。
＜５．効果＞
このように、本実施形態の島台１は、設置する遊技機の種別や玉箱ボックス３５の高さに応じて予め支柱３の所定位置に上係止溝９０、下係止溝９１を所定数設けておき、これらの上係止溝９０、下係止溝９１に係止する上係止ピン７２、下係止ピン８２を上ユニット３０、下ユニット６０に設けることで、島台１に設置される遊技機の種別や付属する備品等の高さに応じて、島台１に対して容易に上ユニット３０、下ユニット６０の高さを変更することができる。
【００９２】
つまり、本実施形態の島台１では、上係止ピン７２ａ、ｂを上係止溝９０ａ、ｃに、下係止ピン８２ａ、ｂを下係止溝９１ｃ、ｄに挿入して係止させるだけで、上ユニット３０と下ユニット６０は、図３の正面図、右側面図に示すように、島台１においてパチスロ遊技機２０を支持する所定位置に設置することができ、また、上係止ピン７２ａ、ｂを上係止溝９０ｂ、ｄに、下係止ピン８２ａ、ｂを下係止溝９１ａ、ｂに挿入して係止させるだけで、上ユニット３０と下ユニット６０は、図２の正面図、右側面図に示すように、島台１においてパチンコ遊技機１０を支持する所定位置に容易に設置することができるようになっている。
【００９３】
しかも、上係止ピン７２ａ、ｂ及び下係止ピン８２ａ、ｂを上係止溝９０ａ、ｂ、ｃ、ｄ及び下係止溝９１ａ、ｂ、ｃ、ｄに係止するには、上ユニット３０及び下ユニット６０を島台１の前方側から後方側に移動させるだけで行うことができ、一方上係止ピン７２ａ、ｂ及び下係止ピン８２ａ、ｂを上係止溝９０ａ、ｂ、ｃ、ｄ及び下係止溝９１ａ、ｂ、ｃ、ｄから離脱するには、上ユニット３０及び下ユニット６０を少し上方に持ち上げてから島台１の手前側に引っ張るように移動させるだけで行うことができる。
【００９４】
また、遊技機を入れ替えるには、上ユニット３０及び下ユニット６０を一旦島台１から離脱して行うようにしたので、これにより、遊技機の入れ替えの際、島台１内の保守、点検等を併せて行うこともできる。さらに、上ユニット３０の底板３８に、ボルト５８を介して玉箱ボックス３５を着脱自在に取り付けることができるので、上ユニット３０は、パチンコ遊技機１０とパチスロ遊技機２０両者に共通して使用することができ、わざわざパチンコ遊技機１０用とパチスロ遊技機２０用の構成の異なる上ユニットを予め用意する必要がなく、極めて使い勝手がよい。
【００９５】
即ち、本実施形態の島台１では、島台１が備える位置調整固定手段で、ボルトやナットを使用することなく、上ユニット３０及び下ユニット６０を極めて容易に上下に移動可能に固定することで、島台１に設置される遊技機の種別に応じて、遊技機の設置高さを容易に変更することができる。加えて、上ユニット３０と下ユニット６０は、個別に上下に移動させることができるので、異なる高さの遊技機の入れ替えであっても、上ユニット３０と下ユニット６０の高さ方向の間隔、即ち島台１における遊技機設置空間の高さを所望の長さに設定して容易に対応することができ、極めて使い勝手がよい。
＜６．他の実施形態＞
以上、本発明の実施形態に係わる島台１を図面に基づいて説明してきたが、具体的な構成は実施形態に示したものに限定されるものではなく、本発明の要旨を逸脱しない範囲における変更や追加などがあっても本発明に含まれる。
【００９６】
例えば、上述した実施形態においては、回胴式遊技機は、パチンコ遊技機１０と同じ高さに設計されたパチスロ遊技機２０として説明したが、回胴式遊技機は、パチスロ遊技機２０と高さの異なるスロットマシーンであってもよい。この場合には、このスロットマシーンの高さに応じて、予め島台１の支柱３の所定位置に上係止溝９０、下係止溝９１を設けるようにすればよい。
【００９７】
また、島台１は、片面のみに遊技機が設置される場合について説明したが、勿論、両面に遊技機が設置される場合であっても適用できる。特に、遊技場において、パチンコ遊技機が設置される島台群と回胴式遊技機が設置される島台群の境界となる島台は、パチンコ遊技機と回胴式遊技機の入れ替えが頻繁に行われることが予想されるので、このような境界となる島台に本発明の実施形態に係わる島台１を予め設置しておけば、図１７に示すように、島台１の片面にパチンコ遊技機１０を、もう一方の片面にパチスロ遊技機２０（回胴式遊技機）を適宜設置することができ、極めて使い勝手がよい。なお、図１７は、両面にパチンコ遊技機１０とパチスロ遊技機２０を設置するときの島台１の右側面図である。
【００９８】
また、島台１は、上述した実施形態ではパチンコ玉やメダル等の遊技媒体を外部に排出するパチンコ遊技機や回胴式遊技機に適用した場合を説明したが、これは、例えば、各遊技機に対応して遊技媒体計数器を設け、遊技媒体を外部に一切排出せずに、遊技者が獲得した遊技媒体を玉箱に入れることなく計数して、その遊技媒体数を数値で表示する封入式遊技機に適用するようにしてもよい。また、本発明の実施形態に係わる島台１は、上記したパチンコ遊技機や回胴式遊技機以外に、アレパチや雀球等の遊技機に適用するようにしてもよい。
【００９９】
また、上ユニット３０の上係止ピン７２ａ、ｂ、下ユニット６０の下係止ピン８２ａ、ｂ、上係止溝９０の各係止溝９０ａ〜ｄ、下係止溝９１の各係止溝９１ａ〜ｄは、その数や互いの間隔は、上述した実施形態に限らず、適宜設定するようにすればよい。
【０１００】
また、上述した実施形態において説明した、位置調整固定手段を構成する支柱３に形成された上係止溝９０、下係止溝９１の構成は、次のようにしてもよい。図１５は、上係止溝９０、下係止溝９１の他の実施形態としての上係止溝１００、下係止溝１０１の構成を説明する説明図であり、（Ａ）は支柱３ａの正面図及び右側面図を示し、（Ｂ）は支柱３ａの上係止溝１００（下係止溝１０１）付近の拡大正面図、上部拡大右側面図、下部拡大右側面図を示している。なお、この他の実施形態の説明においては、上述した実施形態と同様な構成については同じ符号を付し、それら構成の詳細な説明については省略するものとする。
【０１０１】
支柱３ａは、上部に左右一対の上係止溝１００と、下部に左右一対の下係止溝１０１を有している。まず、上係止溝１００は、上部に上部係止溝１００ａと、上部係止溝１００ａの下部に下部係止溝１００ｂを有しており、両者はそれぞれ同形状に形成されている。係止溝１００ａ、ｂの形状は、支柱３ａの前板９２を略矩形状に切り欠いた前切欠部１０３と、支柱３ａの側板９４ａ、ｂを略Ｌ字状に切り欠いた前切欠部１０３と連なる側切欠第１水平部１０５と、側切欠第１水平部１０５の略中央（前後方向の中央）から下方に連なる側板９４ａ、ｂを垂直状に切り欠いた側切欠垂直部１０７と、側切欠垂直部１０７の下端から後方に連なる側板９４ａ、ｂを略Ｌ字状に切り欠いた側切欠第２水平部１０９とにより形成されている。なお、側切欠第１水平部１０５、側切欠第２水平部１０９は、上記した側切欠部９５と同様の水平状の水平切欠部９５ａと垂直状の垂直切欠部９５ｂとで略Ｌ字状に形成されているが、図１５（Ｂ）には、符号９５ａ、ｂは省略しており、これは、後述の側切欠水平部１１５ａ、ｂ、ｃについても同様である。
【０１０２】
つまり、上部係止溝１００ａは、上述した実施形態の上第１係止溝９０ａと上第２係止溝９０ｂを側切欠垂直部１０７で略連結した形状（上第２係止溝９０ｂに連なる前切欠部９３は不形成）に形成され、下部係止溝１００ｂは、上述した実施形態の上第３係止溝９０ｃと上第４係止溝９０ｄを側切欠垂直部１０７で略連結した形状（上第４係止溝９０ｄに連なる前切欠部９３は不形成）に形成されている。
【０１０３】
一方、下係止溝１０１の形状は、支柱３ａの前板９２を略矩形状に切り欠いた上係止溝１００の前切欠部１０３と同形状の前切欠部１１３ａと、前切欠部１１３ａと平行に前切欠部１１３ａの下方に形成される前切欠部１１３ａと同形状の前切欠部１１３ｂ、ｃと、支柱３ａの側板９４ａ、ｂを略Ｌ字状に切り欠いた前切欠部１１３ａ、ｂ、ｃと連なる上係止溝１００の側切欠第１水平部１０５と同形状の側切欠水平部１１５ａ、ｂ、ｃと、側切欠水平部１１５ａ、ｂ、ｃの略中央（前後方向の中央）を連結する側板９４ａ、ｂを垂直状に切り欠いた側切欠垂直部１１７ａ、ｂとにより形成されている。
【０１０４】
つまり、下係止溝１０１は、上述した実施形態の下第１係止溝９１ａと下第４係止溝９１ｄを側切欠垂直部１１７ａ、ｂで連結し、下第１係止溝９１ａと下第４係止溝９１ｄの中央（上下方向の中央）位置に、下第２係止溝９１ｂ及び下第３係止溝９１ｃの替わりに係止溝９１ａ、ｄと同形状の係止溝（前切欠部１１３ｂ及び側切欠水平部１１５ｂ）を形成した形状に形成されている。
【０１０５】
従って、この他の実施形態に係る上係止溝１００（上部係止溝１００ａ、下部係止溝１００ｂ）が形成された支柱３ａに上ユニット３０を取り付けるには、上記図１４（Ａ）に準じて、まず、パチスロ遊技機２０を島台１に設置するとき、上ユニット３０を島台１の前方側から後方側に移動して、上ユニット３０の上係止ピン７２ａ、ｂを、支柱３ａの係止溝１００ａ、ｂに挿入する。この際、上係止ピン７２ａ、ｂは、支柱３ａの前板９２が切り欠かれた前切欠部１０３から進入し、この前切欠部１０３と連なる側切欠第１水平部１０５の形状に沿って水平に移動する（図１５（Ｂ）の上部拡大右側面図参照）。
【０１０６】
すると、上係止ピン７２ａ、ｂは、側切欠第１水平部１０５の上角部に形成された曲面Ｒ１に誘導されて、側切欠第１水平部１０５の底部に形成された曲面Ｒ２にスムーズに到達する。これにより、上係止ピン７２ａが上部係止溝１００ａに、上係止ピン７２ｂが下部係止溝１００ｂにそれぞれ係止され、上ユニット３０は支柱３ａにしっかりと固定される。この状態では、上ユニット３０の上端は、図３の正面図に示すように、支柱３ａの上端よりＴ３だけ高い位置にある。そして、上ユニット３０を支柱３ａに固定したら、玉箱ボックス３５を下方から上ユニット３０に吊り下げるように取り付ける。
【０１０７】
上記の説明から明らかなように、上ユニット３０の上係止ピン７２ａと上係止ピン７２ｂの間隔は、支柱３ａの上部係止溝１００ａの側切欠第１水平部１０５と下部係止溝１００ｂの側切欠第１水平部１０５の間隔と等しく形成されており、パチスロ遊技機２０を島台１に設置する場合には、上ユニット３０は、島台１の前方側から後方側に移動させるだけで、上係止ピン７２ａが上部係止溝１００ａ（側切欠第１水平部１０５）に、上係止ピン７２ｂが下部係止溝１００ｂ（側切欠第１水平部１０５）に係止され、これにより極めて容易に上ユニット３０を支柱３ａに固定することができる。そして、このように上ユニット３０が固定された状態で、玉箱ボックス３５を上ユニット３０に装着すると、玉箱ボックス３５の底板５５が、島台１に設置するパチスロ遊技機２０の上端を支持する位置に配置される。
【０１０８】
次に、上記図１４（Ｂ）に準じて、下ユニット６０を、上ユニット３０と同様に島台１の前方側から後方側に移動して、下ユニット６０の下係止ピン８２ａ及び下係止ピン８２ｂを、支柱３ａの下係止溝１０１に挿入する。この際、下係止ピン８２ａ、ｂは、支柱３ａの前板９２が切り欠かれた前切欠部１１３ｂ、ｃから進入し、この前切欠部１１３ｂ、ｃと連なる側切欠水平部１１５ｂ、ｃの形状に沿って水平に移動する（図１５（Ｂ）の下部拡大右側面図参照）。この際の下係止ピン８２ａ、ｂの移動状態は、上記の上係止ピン７２ａ、ｂと同じなので、ここでの説明は省略する。これにより、下係止ピン８２ａ、ｂが下係止溝１０１にそれぞれ係止され、下ユニット６０は支柱３ａにしっかりと固定される。この状態では、下ユニット６０の上端は、図３の正面図に示すように、遊技場の床面よりＴ４だけ高い位置にある。
【０１０９】
上記の説明から明らかなように、下ユニット６０の下係止ピン８２ａと下係止ピン８２ｂの間隔は、支柱３ａの側切欠水平部１１５ｂと側切欠水平部１１５ｃの間隔（側切欠垂直部１１７ｂの長さ、後述のＴ２−Ｔ４の長さ）と等しく形成されており、パチスロ遊技機２０を島台１に設置する場合には、下ユニット６０は、島台１の前方側から後方側に移動させるだけで、下係止ピン８２ａが側切欠水平部１１５ｂに、下係止ピン８２ｂが側切欠水平部１１５ｃに係止され、これにより極めて容易に下ユニット６０を支柱３ａに固定することができる。そして、このように下ユニット６０が固定された状態では、下ユニット６０の天板６１が、島台１に設置するパチスロ遊技機２０の下端を支持する位置に配置される。
【０１１０】
次に、島台１に設置しているパチスロ遊技機２０を、パチンコ遊技機１０に入れ替える場合には、玉箱ボックス３５を上ユニット３０から取り外し、上ユニット３０を少し上方に持ち上げてから島台１の手前側に引っ張るように移動してから下方に移動する。この際、上係止ピン７２ａ、ｂは、上方に持ち上げたときに側切欠第１水平部１０５の曲面Ｒ１に誘導され、その後手前側に引っ張ることにより、側切欠部９５の形状に沿って水平移動し、次に側切欠垂直部１０７に到達すると、自重により側切欠垂直部１０７に沿って落下するように移動する。そして、上係止ピン７２ａ、ｂが側切欠第２水平部１０９に到達したら、上ユニット３０を島台１の前方側から後方側に移動する。この際の上係止ピン７２ａ、ｂの移動状態は、上記と同じなので、ここでの説明は省略する。
【０１１１】
これにより、上係止ピン７２ａが上部係止溝１００ａに、上係止ピン７２ｂが下部係止溝１００ｂにそれぞれ係止され、上ユニット３０は支柱３ａにしっかりと固定される。この状態では、上ユニット３０の上端は、図２の正面図に示すように、支柱３ａの上端よりＴ１だけ高い位置にある。Ｔ１は、上記のＴ３よりも小さく、つまりパチスロ遊技機２０をパチンコ遊技機１０に入れ替える場合には、上ユニット３０は、Ｔ３−Ｔ１だけ設置位置が低くなり、このＴ３−Ｔ１の長さは、図１５（Ｂ）の上部拡大右側面図に示すように、上係止ピン７２ａが挿入される上部係止溝１００ａの側切欠第１水平部１０５と側切欠第２水平部１０９の間隔（側切欠垂直部１０７の長さ）、及び、上係止ピン７２ｂが挿入される下部係止溝１００ｂの側切欠第１水平部１０５と側切欠第２水平部１０９の間隔（側切欠垂直部１０７の長さ）と等しくなっている。
【０１１２】
上記の説明から明らかなように、上ユニット３０の上係止ピン７２ａと上係止ピン７２ｂの間隔は、支柱３ａの上部係止溝１００ａの側切欠第２水平部１０９と下部係止溝１００ｂの側切欠第２水平部１０９の間隔と等しく形成されており、島台１に設置しているパチスロ遊技機２０をパチンコ遊技機１０に入れ替える場合には、上ユニット３０は、少し上方に持ち上げてから島台１の手前側に引っ張るようにしてから下方に移動し、その後、島台１の前方側から後方側に移動させるだけで、上係止ピン７２ａ、ｂが、係止溝１００ａ、ｂにおいて側切欠第１水平部１０５から側切欠垂直部１０７を介して側切欠第２水平部１０９に移動して係止され、これにより極めて容易に上ユニット３０を支柱３ａに固定することができる。そして、上ユニット３０が固定された状態では、上ユニット３０の底板３８が、島台１に設置するパチンコ遊技機１０の上端を支持する位置に配置される。
【０１１３】
次に、下ユニット６０を、上ユニット３０と同様に少し上方に持ち上げてから島台１の手前側に引っ張るように移動してから上方に移動する。この際、下係止ピン８２ａ、ｂは、上方に持ち上げたときに側切欠水平部１１５ｂ、ｃの曲面Ｒ１に誘導され、その後手前側に引っ張ることにより、側切欠水平部１１５ｂ、ｃの形状に沿って水平移動し、次に側切欠垂直部１１７ａ、ｂに到達したとき、側切欠垂直部１１７ａ、ｂに沿って持ち上げるように移動する。そして、下係止ピン８２ａ、ｂが側切欠水平部１１５ａ、ｂに到達したら、上ユニット３０を島台１の前方側から後方側に移動する。この際の下係止ピン８２ａ、ｂの移動状態は、上記の上係止ピン７２ａ、ｂと同じなので、ここでの説明は省略する。
【０１１４】
これにより、下係止ピン８２ａ、ｂが下係止溝１０１にそれぞれ係止され、下ユニット６０は支柱３ａにしっかりと固定される。この状態では、下ユニット６０の上端は、図２の正面図に示すように、遊技場の床面よりＴ２だけ高い位置にある。Ｔ２は、上記のＴ４よりも大きく、つまりパチスロ遊技機２０をパチンコ遊技機１０に入れ替える場合には、下ユニット６０は、Ｔ２−Ｔ４だけ高くなり、このＴ２−Ｔ４の長さは、図１５（Ｂ）の下部拡大右側面図に示すように、下係止ピン８２ａが挿入される下係止溝１０１の側切欠水平部１１５ａと側切欠水平部１１５ｂの間隔（側切欠垂直部１１７ａ、ｂの長さ）、及び、下係止ピン８２ｂが挿入される側切欠水平部１１５ｂと側切欠水平部１１５ｃの間隔（側切欠垂直部１１７ａ、ｂの長さ）と等しくなっている。
【０１１５】
上記の説明から明らかなように、下ユニット６０の下係止ピン８２ａと下係止ピン８２ｂの間隔は、支柱３ａの側切欠水平部１１５ａと側切欠水平部１１５ｂの間隔（側切欠垂直部１１７ａの長さ、Ｔ２−Ｔ４の長さ）と等しく形成されており、島台１に設置しているパチスロ遊技機２０をパチンコ遊技機１０に入れ替える場合には、下ユニット６０は、少し上方に持ち上げてから島台１の手前側に引っ張るようにしてから上方に移動し、その後、島台１の前方側から後方側に移動させるだけで、下係止ピン８２ａ、ｂが、下係止溝１０１において側切欠水平部１１５ｂ、ｃから側切欠垂直部１１７ａ、ｂを介して側切欠水平部１１５ａ、ｂに移動して係止され、これにより極めて容易に下ユニット６０を支柱３ａに固定することができる。そして、下ユニット６０が固定された状態では、下ユニット６０の天板６１が、島台１に設置するパチンコ遊技機１０の下端を支持する位置に配置される。
【０１１６】
また、上記の説明では、島台１に設置しているパチスロ遊技機２０をパチンコ遊技機１０に入れ替える場合には、下ユニット６０は、支柱３ａ（下係止溝１０１）から下係止ピン８２ａ、ｂを離脱することなく、該下係止ピン８２ａ、ｂを側切欠水平部１１５ｂ、ｃから側切欠水平部１１５ａ、ｂに側切欠垂直部１１７ａ、ｂを介して移動するようにしたが、これは、下係止ピン８２ａ、ｂを島台１の手前側に引っ張るように移動し、前切欠部１１３ｂ、ｃを介して支柱３ａ（側切欠水平部１１５ｂ、ｃ）から一旦離脱し、その後、上記に準じて、下ユニット６０を島台１の前方側から後方側に移動して、下係止ピン８２ａ、ｂを前切欠部１１３ａ、ｂから側切欠水平部１１５ａ、ｂに挿入して固定するようにすればよい。
【０１１７】
なお、上記の説明では、パチスロ遊技機２０をパチンコ遊技機１０に入れ替える場合について説明したが、パチンコ遊技機１０をパチスロ遊技機２０に入れ替える場合についても、上記に準じて行うようにすればよい。
【０１１８】
このような構成の他の実施形態に係る上係止溝１００、下係止溝１０１によれば、上述した実施形態に比して、遊技機を入れ替える場合に上ユニット３０及び下ユニット６０を支柱３から離脱することなく、島台１に設置される遊技機の種別に応じて、島台１に対して容易に上ユニット３０、下ユニット６０の高さを変更することができるので、さらに遊技機の入れ替え作業が容易となる。また、下係止溝１０１の側切欠水平部１１５ｂのように、下係止ピン８２ａ、ｂ両者が共に挿入される共用の係止溝を支柱に形成すれば、係止溝の構成が簡素化され（側切欠水平部の数が減少され）、このような構成は、上係止溝１００にも適用するようにしてもよい。
【０１１９】
次に、図１６を参照しながら、上記した他の実施形態に係る上係止溝１００、下係止溝１０１の変形例について説明する。図１６は、上係止溝１００、下係止溝１０１の変形例としての上係止溝２００、下係止溝２０１の構成を説明する説明図であって、支柱３ａの上部拡大右側面図及び下部拡大右側面図を示している。なお、この変形例の説明においても、上述した実施形態と同様な構成については同じ符号を付し、それら構成の詳細な説明については省略するものとする。
【０１２０】
上係止溝２００が上係止溝１００と異なる点は、上係止溝２００は、上記した上係止溝１００において前切欠部１０３を形成することなく、側切欠第１水平部１０５の前端部と側切欠垂直部１０７の上端部を連結するように構成され、一方、下係止溝２０１が下係止溝１０１と異なる点は、下係止溝２０１は、上記した下係止溝１０１において前切欠部１１３ａ、ｂ、ｃを形成することなく、側切欠水平部１１５ａ、ｂ、ｃの前端部と側切欠垂直部１１７ａ、ｂの上下端を連結するように構成されている点である。
【０１２１】
上係止溝２００は、上部に上部係止溝２００ａと、上部係止溝２００ａの下部に下部係止溝２００ｂを有しており、両者はそれぞれ同形状に形成されている。そして、係止溝２００ａ、ｂの形状は、支柱３ａの側板９４ａ、ｂを略Ｌ字状に切り欠いた側切欠第１水平部２０５と、側切欠第１水平部２０５の前端部から下方に連なる側板９４ａ、ｂを垂直状に切り欠いた側切欠垂直部２０７と、側切欠垂直部１０７の下端から後方に連なる側板９４ａ、ｂを略Ｌ字状に切り欠いた側切欠第１水平部２０５と同形状の側切欠第２水平部２０９とにより形成されている。なお、側切欠第１水平部２０５、側切欠第２水平部２０９は、上記した側切欠部９５と同様の水平状の水平切欠部９５ａと垂直状の垂直切欠部９５ｂとで略Ｌ字状に形成されているが、図１６には、符号９５ａ、ｂは省略しており、これは、後述の側切欠水平部２１５ａ、ｂ、ｃについても同様である。
【０１２２】
一方、下係止溝２０１の形状は、支柱３ａの側板９４ａ、ｂを略Ｌ字状に切り欠いた上係止溝２００の側切欠第１、２水平部２０５、２０９と同形状の上下方向に均等の間隔で配置される側切欠水平部２１５ａ、ｂ、ｃと、側切欠水平部２１５ａ、ｂ、ｃの前端部を連結する側板９４ａ、ｂを垂直状に切り欠いた側切欠垂直部２１７とにより形成されている。
【０１２３】
つまり、係止溝２００、２０１においては、支柱３ａの前板９２側の切り欠きは形成されず、従って、上ユニット３０は、上係止ピン７２ａ、ｂが予め上係止溝２００に挿入されて係止され、下ユニット６０は、下係止ピン８２ａ、ｂが予め下係止溝２０１に挿入されて係止されている。即ち、上ユニット３０及び下ユニット６０は、島台１から離脱不能に、支柱３ａに上下方向に移動自在に固定されている。
【０１２４】
このように構成される他の実施形態の変形例に係る上係止溝２００、下係止溝２０１によれば、上述した他の実施形態に比して、上ユニット３０及び下ユニット６０が支柱３から離脱することがないので、上係止ピン７２ａ、ｂ及び下係止ピン８２ａ、ｂを上係止溝２００及び下係止溝２０１の形状に沿って移動させるだけで、島台１に設置される遊技機の種別に応じて、島台１に対して極めて容易に上ユニット３０、下ユニット６０の高さを変更することができ、遊技機の入れ替え作業が極めて容易となる。
【０１２５】
次に特許請求の範囲の構成と、本発明の実施形態との主な対応を説明する。
パチンコ遊技機は、パチンコ遊技機１０に相当し、回胴式遊技機は、回胴式遊技機（パチスロ遊技機）２０に相当し、遊技機設置島台は、島台１に相当し、上ユニットは、上ユニット３０に相当し、下ユニットは、下ユニット６０に相当し、位置調整固定手段は、上係止ピン７２ａ、ｂ、下係止ピン８２ａ、ｂ、上係止溝９０ａ、ｂ、ｃ、ｄ、１００ａ、ｂ、２００ａ、ｂ、下係止溝９１ａ、ｂ、ｃ、ｄ、１０１、２０１に相当し、係止溝は、上係止溝９０ａ、ｂ、ｃ、ｄ、１００ａ、ｂ、２００ａ、ｂ、下係止溝９１ａ、ｂ、ｃ、ｄ、１０１、２０１に相当し、上係止部材は、上係止ピン７２ａ、ｂに相当し、下係止部材は、下係止ピン８２ａ、ｂに相当し、第１係止溝は、上係止溝９０ｂ、ｄ、側切欠第２水平部１０９、２０９、下係止溝９１ａ、ｂ、側切欠水平部１１５ａ、ｂ、２１５ａ、ｂに相当し、第２係止溝は、上係止溝９０ａ、ｃ、側切欠第１水平部１０５、２０５、下係止溝９１ｃ、ｄ、側切欠水平部１１５ｂ、ｃ、２１５ｂ、ｃに相当し、連結溝は、側切欠垂直部１０７、１１７ａ、ｂ、２０７、２１７に相当し、上ユニットの側板は、側板３７ａ、ｂに相当し、上係止ピンは、上係止ピン７２ａ、ｂに相当し、下ユニットの側板は、側板６６ａ、ｂに相当し、下係止ピンは、下係止ピン８２ａ、ｂに相当し、支柱は、支柱３ａに相当し、水平切欠部は、水平切欠部９５ａに相当し、垂直切欠部は、垂直切欠部９５ｂに相当し、玉箱ボックスは、玉箱ボックス３５に相当する。
【符号の説明】
【０１２６】
１…島台（遊技機設置島台）、  ３、３ａ、ｂ…支柱、
４…Ｌ字金具、  ５ａ、ｂ、５８…ボルト、
６ａ、ｂ…アンカーボルト、  ７ａ、ｂ…高さ調節脚、
８、６８…化粧板、  ８ａ…コの字板、
８ｂ…添え板、  ８ｂ１…凹部、
８ｂ２…凸部、  ８ｃ、３７ａ、ｂ、５４ａ、ｂ、６６ａ、ｂ、９４ａ、ｂ…側板、
９、３８、５５、６５…底板、  １０…パチンコ遊技機、
１１…桟、  １２…補強金具、
１２ａ…コの字板、  １２ｂ、６７…連結板、
１４…バックパネル、  １３、３６、５３、６４…上板、
２０…回胴式遊技機（パチスロ遊技機）、
２１…下部タンク、  ２２…玉研磨揚送機、
２３、５９ａ、ｂ…空間領域、  ２４…上部タンク、
２５、４１…ジャバラホース、  ２６、４２、７４、８４…ビス、
２７…本体部、  ２８…研磨レール部、
２９…接合部、  ３０…上ユニット、
３１…幕板部、  ３３…押釦部、
３５…玉箱ボックス、  ３９、９２…前板、
４３…扉部材、  ５１…円形孔、
５２、７３ａ、ｂ…取付穴、  ５６…後板、
５７…仕切板、  ６０…下ユニット、
６１…天板、  ６３…腰板部、
６６ａ１、ｂ１…突出部、  ６９…回収孔、
７０…上係止部材、  ７１、８１…ベース板、
７２、７２ａ、ｂ…上係止ピン、  ８０…下係止部材、
８１ａ…上端部、  ８１ｂ…ベース部、
８２、８２ａ、ｂ…下係止ピン、  ８３…係合溝、
９０、１００、２００…上係止溝、  ９０ａ…上第１係止溝、
９０ｂ…上第２係止溝、  ９０ｃ…上第３係止溝、
９０ｄ…上第４係止溝、  ９１、１０１、２０１…下係止溝、
９１ａ…下第１係止溝、  ９１ｂ…下第２係止溝、
９１ｃ…下第３係止溝、  ９１ｄ…下第４係止溝、
９３、１０３、１１３ａ、ｂ、ｃ…前切欠部、  ９５…側切欠部、
９５ａ…水平切欠部、  ９５ｂ…垂直切欠部、
１００ａ、２００ａ…上部係止溝、  １００ｂ、２００ｂ…下部係止溝、
１０５、２０５…側切欠第１水平部、
１０７、１１７ａ、ｂ、２０７、２１７…側切欠垂直部、
１０９、２０９…側切欠第２水平部、
１１５ａ、ｂ、ｃ、２１５ａ、ｂ、ｃ…側切欠水平部
【図１】
2014004093.tif 000003
【図２】
2014004093.tif 000004
【図３】
2014004093.tif 000005
【図４】
2014004093.tif 000006
【図５】
2014004093.tif 000007
【図６】
2014004093.tif 000008
【図７】
2014004093.tif 000009
【図８】
2014004093.tif 000010
【図９】
2014004093.tif 000011
【図１０】
2014004093.tif 000012
【図１１】
2014004093.tif 000013
【図１２】
2014004093.tif 000014
【図１３】
2014004093.tif 000015
【図１４】
2014004093.tif 000016
【図１５】
2014004093.tif 000017
【図１６】
2014004093.tif 000018
【図１７】
2014004093.tif 000019